(57)【要約】      （修正有）【課題】シンプルな構造で輪ゴムを連続して発射できるとともに製造コストを低減できる連発式輪ゴム銃を提供することを目的とする。【解決手段】発射単位の輪ゴム１を係止するための前側輪ゴム係止部１３と後側輪ゴム係止部１４との組が円周方向に複数設けられるとともに、銃本体によって円周方向の一方側に回転可能に保持されたシリンダを備える連発式輪ゴム銃において、各組の前側輪ゴム係止部１３は、同組の後側輪ゴム係止部１４よりもシリンダの回転方向の反対側に１ピッチずれた状態で、シリンダに配置されており、シリンダは、輪ゴム１の緊張時に該輪ゴム１の引っ張りによって一方側に１ピッチ分回転して、緊張された輪ゴム１が引っ掛けられた前側輪ゴム係止部１３が、１ピッチ分進んだ位置にある輪ゴムの発射位置に移動するように構成されている。【選択図】図７
2017133776.tif 000002
【特許請求の範囲】
【請求項１】
発射単位の輪ゴムを係止するための前側輪ゴム係止部と後側輪ゴム係止部との組が円周方向に複数設けられるとともに、銃本体によって円周方向の一方側に回転可能に保持されたシリンダを備え、発射単位ごとに前記輪ゴムを後方に引っ張ることによって緊張させて発射させる連発式輪ゴム銃において、
各組の前記前側輪ゴム係止部は、同組の前記後側輪ゴム係止部よりも前記シリンダの回転方向の反対側に１ピッチずれた状態で、前記シリンダに配置され、
前記シリンダは、前記輪ゴムの緊張時に該輪ゴムの引っ張りによって前記一方側に１ピッチ分回転して、緊張された前記輪ゴムが引っ掛けられた前記前側輪ゴム係止部が、１ピッチ分進んだ位置にある前記輪ゴムの発射位置に移動するように構成されていることを特徴とする連発式輪ゴム銃。
【請求項２】
前記シリンダは前後方向に移動可能であるとともに第一スプリングによって前方に付勢され、
前記シリンダと前記銃本体との間には、前記輪ゴムの緊張時において前記シリンダが前記第一スプリングの付勢力に抗して後方に移動した時に前記シリンダの前記一方側への回転をガイドし、かつ前記前側輪ゴム係止部を、前記輪ゴムの発射位置に移動させるアシスト手段が設けられていることを特徴とする請求項１に記載の連発式輪ゴム銃。
【請求項３】
前記シリンダと前記銃本体との間には、前記輪ゴムの非緊張時において前記シリンダが前記第二スプリングの付勢力により前方に移動した時に前記シリンダの前記一方側への回転を規制する位置決め手段が設けられていることを特徴とする請求項２に記載の連発式輪ゴム銃。
【請求項４】
前記シリンダは、
複数の前記前側輪ゴム係止部を有する前部シリンダと、
複数の前記後側輪ゴム係止部を有する後部シリンダと、
前記前側輪ゴム係止部を前記後側輪ゴム係止部よりも前記シリンダの回転方向の反対側に１ピッチずれた状態とするためのピッチ切り替え手段と、を備えており、
前記ピッチ切り替え手段は、
前記後部シリンダにおける後側の部位を構成するとともに前記後側輪ゴム係止部が設けられ、かつ、前後方向に移動可能であるとともに前記一方側およびその反対側に回転可能とされた第一部位と、
前記後部シリンダにおける前側の部位を構成する第二部位と、
前記第一部位を前記第二部位側に付勢する第二スプリングと、
前記第一部位を前記一方側に回転させた時と、前記反対側に回転させた時に、前記第二スプリングによる付勢力によって、前記第二部位に対する前記第一部位の回転を規制して位置決めを行う凹凸嵌合部と、を備えることを特徴とする請求項２または３に記載の連発式輪ゴム銃。
【発明の詳細な説明】
【技術分野】
【０００１】
本発明は、連発式輪ゴム銃に関する。
【背景技術】
【０００２】
従来、輪ゴムを使用する輪ゴム銃として、前爪（前側輪ゴム係止部）と後爪（後側輪ゴム係止部）との組を円周方向に等間隔に複数有するシリンダを備えたものが知られている。このような輪ゴム銃においては、各組を構成する前爪と後爪とに輪ゴムを係止し、シリンダを回転させることで発射すべき輪ゴムを選択した後、トリガを操作することによって、輪ゴムを発射することができる（例えば、特許文献１参照）。
【先行技術文献】
【特許文献】
【０００３】
【特許文献１】実用新案登録第３１９５０３９号公報
【発明の概要】
【発明が解決しようとする課題】
【０００４】
しかしながら、特許文献１に記載の技術では、シリンダを回転させる手段として、往復直線動作する直動部材や歯車等を始めとする多くの部材が必要であり、構造の複雑化や製造コストの上昇を招く場合があった。
【０００５】
本発明は上記事情に鑑みてなされたものであり、シンプルな構造で輪ゴムを連続して発射できるとともに製造コストを低減できる連発式輪ゴム銃を提供することを目的とする。
【課題を解決するための手段】
【０００６】
請求項１に記載の発明は、発射単位の輪ゴムを係止するための前側輪ゴム係止部と後側輪ゴム係止部との組が円周方向に複数設けられるとともに、銃本体によって円周方向の一方側に回転可能に保持されたシリンダを備え、発射単位ごとに前記輪ゴムを後方に引っ張ることによって緊張させて発射させる連発式輪ゴム銃において、
各組の前記前側輪ゴム係止部は、同組の前記後側輪ゴム係止部よりも前記シリンダの回転方向の反対側に１ピッチずれた状態で、前記シリンダに配置され、
前記シリンダは、前記輪ゴムの緊張時に該輪ゴムの引っ張りによって前記一方側に１ピッチ分回転して、緊張された前記輪ゴムが引っ掛けられた前記前側輪ゴム係止部が、１ピッチ分進んだ位置にある前記輪ゴムの発射位置に移動するように構成されていることを特徴とする。
【０００７】
請求項２に記載の発明は、請求項１に記載の連発式輪ゴム銃であって、前記シリンダは前後方向に移動可能であるとともに第一スプリングによって前方に付勢され、
前記シリンダと前記銃本体との間には、前記輪ゴムの緊張時において前記シリンダが前記第一スプリングの付勢力に抗して後方に移動した時に前記シリンダの前記一方側への回転をガイドし、かつ前記前側輪ゴム係止部を、前記輪ゴムの発射位置に移動させるアシスト手段が設けられていることを特徴とする。
【０００８】
請求項３に記載の発明は、請求項２に記載の連発式輪ゴム銃において、前記シリンダと前記銃本体との間には、前記輪ゴムの非緊張時において前記シリンダが前記第二スプリングの付勢力により前方に移動した時に前記シリンダの前記一方側への回転を規制する位置決め手段が設けられていることを特徴とする。
【０００９】
請求項４に記載の発明は、請求項２または３に記載の連発式輪ゴム銃であって、
前記シリンダは、
複数の前記前側輪ゴム係止部を有する前部シリンダと、
複数の前記後側輪ゴム係止部を有する後部シリンダと、
前記前側輪ゴム係止部を前記後側輪ゴム係止部よりも前記シリンダの回転方向の反対側に１ピッチずれた状態とするためのピッチ切り替え手段と、を備えており、
前記ピッチ切り替え手段は、
前記後部シリンダにおける後側の部位を構成するとともに前記後側輪ゴム係止部が設けられ、かつ、前後方向に移動可能であるとともに前記一方側およびその反対側に回転可能とされた第一部位と、
前記後部シリンダにおける前側の部位を構成する第二部位と、
前記第一部位を前記第二部位側に付勢する第二スプリングと、
前記第一部位を前記一方側に回転させた時と、前記反対側に回転させた時に、前記第二スプリングによる付勢力によって、前記第二部位に対する前記第一部位の回転を規制して位置決めを行う凹凸嵌合部と、を備えることを特徴とする。
【発明の効果】
【００１０】
請求項１に記載の発明によれば、前側輪ゴム係止部と後側輪ゴム係止部に引っ掛けられた輪ゴムを後方に引っ張って緊張させることでシリンダを回転させることができるので、発射される輪ゴム自体を、シリンダを回転させるための動力として利用することができる。これによって、シリンダを回転させる手段として多くの部材が必要なくなるので、シンプルな構造で輪ゴムを連続して発射できるとともに製造コストを低減できる。
【００１１】
請求項２に記載の発明によれば、アシスト手段によって、シリンダの円周方向一方側への回転をガイドし、前側輪ゴム係止部を輪ゴムの発射位置に移動させるので、シリンダを１ピッチ分ごとに確実に回転させることができる。そのため、輪ゴムをより正確に発射することができる。
さらに、このような輪ゴムを動力としたシリンダの回転を、シリンダと銃本体との間に設けられたアシスト手段によってアシストできるので、銃本体の内部機構を簡素化できる。
【００１２】
請求項３に記載の発明によれば、位置決め手段によって、輪ゴムの非緊張時におけるシリンダの回転を規制できるので、輪ゴムを後方に引っ張る際の操作や輪ゴムを装着させる作業が行いやすくなる。すなわち、操作等を行う際におけるシリンダの回転を位置決め手段によって抑えることができるので、操作に係る精度を向上させることができる。
【００１３】
請求項４に記載の発明によれば、前側輪ゴム係止部と後側輪ゴム係止部との各組に輪ゴムを引っ掛ける際にはピッチを揃えた状態としておき、前側輪ゴム係止部と後側輪ゴム係止部との各組に輪ゴムを引っ掛けた後に、後側の部位を前側の部位に対して円周方向に回転させるだけで、１ピッチずらして輪ゴムをひねった状態とすることができるので、シリンダに対する輪ゴムの装着が容易となる。さらに、シリンダに装着させた輪ゴムの全てを一遍に１ピッチずらした状態にすることができるので効率が良い。
【図面の簡単な説明】
【００１４】
【図１】連発式輪ゴム銃の外観斜視図である。
【図２】（ａ）は連発式輪ゴム銃における銃本体の内部構造を示す側断面図であり、（ｂ）は連発式輪ゴム銃におけるシリンダの後端部付近（Ｅ部）の内部構造を示す側断面図である。
【図３】（ａ）は連発式輪ゴム銃の外観側面図であり、（ｂ）はシリンダの後端部付近（Ｆ部）の拡大図であり、（ｃ）はシリンダの前端部付近（Ｇ部）の拡大図である。
【図４】前側輪ゴム係止部と後側輪ゴム係止部の位置関係を示す背面図である。
【図５】輪ゴムの発射態様を示す平面図である。
【図６】輪ゴムの発射態様を示す平面図であり、輪ゴムが発射位置にある状態を示している。
【図７】輪ゴムの発射およびシリンダの回転態様を示す模式図である。
【図８】トリガと係止部材との係合関係を示す図である。
【図９】カム機構を示す側面図である。
【発明を実施するための形態】
【００１５】
以下、図面を参照して本発明の実施の形態について説明する。ただし、以下に述べる実施形態には、本発明を実施するために技術的に好ましい種々の限定が付されているが、本発明の技術的範囲を以下の実施形態および図示例に限定するものではない。
【００１６】
図１は連発式輪ゴム銃の外観斜視図である。
本実施形態における連発式輪ゴム銃１００の理解を容易にするため、その使用方法の一例について説明する（図５〜図７参照）。
まず、スライド３０が後方位置に係止されている状態でシリンダ１０の外周に対して、当該シリンダ１０の円周方向に等間隔に、かつ、ひねられた状態となるように６本の輪ゴム１を係止する。
この状態で、トリガ２０を１回後方に引くとスライド３０の係止が解除されて当該スライド３０が前方位置まで移動し、発射位置（図４中の「▼」）にある１本の輪ゴム１の後端部にフック３１が引っ掛かる。その後、スライド３０を手で後方に移動させるとフック３１が引っ掛かった１つの輪ゴム１の後端部が後方に引かれ当該輪ゴム１が緊張する。後方に移動させたスライド３０は後方位置にて係止される。また、このように輪ゴム１を緊張させるのと同時に、後端部が後方に引っ張られた輪ゴム１を動力としてシリンダ１０が回転し、輪ゴム１の前端部が発射位置（図４中の「▼」）に移動する。
この状態で、トリガ２０を１回後方に引くと、スライド３０の係止が解除され、スライド３０が前方位置に向けて移動する。そして、緊張した輪ゴム１の後端部に対するフック３１の引っ掛かりが解除され、当該輪ゴム１が前方に向けて発射される。この時、シリンダ１０が回転し、次に発射される輪ゴム１の後端部が発射位置（図４中の「▼」）に移動する。そして、スライド３０と共に前方に移動したフック３１が当該次に発射される輪ゴム１の後端部に引っ掛かる。
このようにして、この連発式輪ゴム銃１００では、シリンダ１０に係止した複数の輪ゴム１を連続的に発射することが可能となっている。
【００１７】
次に、この連発式輪ゴム銃１００の構成の詳細を説明する。
図２は連発式輪ゴム銃１００の内部構造を示す側面図である。
この連発式輪ゴム銃１００は、銃本体２、シリンダ１０、トリガ２０、スライド３０およびフック３１の他、スライド係止手段Ａ、アシスト手段Ｂ、位置決め手段Ｃ、ピッチ切り替え手段Ｄを備えている。
【００１８】
銃本体２は、ユーザが把持するグリップ２ａと、シリンダ１０やトリガ２０を始めとする各部が組み込まれるフレーム２ｂと、からなる。
フレーム２ｂは、シリンダ１０を迂回するように当該シリンダ１０の下方を経て当該シリンダ１０の前方まで延びている。フレーム２ｂのうちシリンダ１０の前方に位置する部分は、シリンダ１０の前端を軸支している。さらに、フレーム２ｂのうちシリンダ１０の後方に位置する部分は、シリンダ１０の後端を軸支している。
なお、フレーム２ｂのうち、シリンダ１０の下方から前方にかけて設けられる略Ｌ字状の部位２ｂ１は、当該部位２ｂ１よりも後方の部位２ｂ２から分離できるように構成されている。すなわち、フレーム２ｂにおける略Ｌ字状の部位２ｂ１とその後方の部位２ｂ２は、凹凸嵌合構造によって結合される構造となっており、その嵌合状態を解除することによって分離可能となっている。
【００１９】
シリンダ１０は、当該シリンダ１０の長さ方向に沿う軸を中心に、円周方向の一方側に回転可能となるように銃本体２によって保持されている。本実施形態におけるシリンダ１０は、図３に示すように銃本体２の後部から見て右回りとなるように回転する。
このシリンダ１０は分離可能な前部シリンダ１０Ａと後部シリンダ１０Ｂと補助シリンダ１０Ｃと後端軸部材１１とで構成されている。このシリンダ１０の外周には、外周方向に等間隔にかつ、輪ゴム１がひねられた状態となる輪ゴム掛けが６個設けられている。各輪ゴム掛けは、輪ゴム１の前端部を係止する前側輪ゴム係止部１３と、輪ゴム１の後端部を係止する後側輪ゴム係止部１４との組を備えている。
なお、補助シリンダ１０Ｃは、前部シリンダ１０Ａと後部シリンダ１０Ｂとの間に連結されるものであり、シリンダ１０全体の長さを大きくすることができる。図示はしないが、補助シリンダ１０Ｃの前端には前方に突出する角軸が設けられており、前部シリンダ１０Ａの後端に形成された角穴に差し込まれている。これにより、前部シリンダ１０Ａと補助シリンダ１０Ｃとが連動して回転できるようになっている。
【００２０】
前側輪ゴム係止部１３は、前部シリンダ１０Ａに備えられ、シリンダ１０の半径方向外方に突出する１つの突片１５の前端に切欠き１５ａを設けることによって形成されている。ただし、この場合の切欠き１５ａは無くてもよい。要は、輪ゴム１の前端部を係止できる爪となっていることである。
一方、後側輪ゴム係止部１４は、後部シリンダ１０Ｂに備えられ、シリンダ１０の半径方向外方に突出し互いに平行な２つの突片１６，１７の後端にそれぞれ切欠き１６ａ，１７ａを設けることによって形成されている。２つの突片１６，１７はシリンダ１０の外周方向に互いに所定間隔を空けて形成されており、２つの突片１６，１７の間にはフック３１の先端部が入り込めるようになっている。なお、後側輪ゴム係止部１４の切欠き１６ａ，１７ａは無くてもよい。要は、輪ゴム１の後端部を係止できる爪となっていることである。
なお、シリンダ１０の回転方向の先に位置する一方の突片１６は、図４に示すように、他方の突片１７よりも外方への突出寸法が短くなるように設定されている。このように一方の突片１６の突出寸法を短くすれば、輪ゴム１の後端部を後方に引っ張ることによってシリンダ１０が円周方向に回転した際に、輪ゴム１を突片１６から離脱させやすくなるので好ましい。
【００２１】
そして、図４に示すように、各組の前側輪ゴム係止部１３は、各組の後側輪ゴム係止部１４よりもシリンダ１０の回転方向の反対側に１ピッチずれた状態で配置されている。換言すれば、各組の後側輪ゴム係止部１４が、各組の前側輪ゴム係止部１３よりもシリンダ１０の回転方向にピッチがずれた状態で配置されている。
つまり、各組の前側輪ゴム係止部１３と後側輪ゴム係止部１４は、一直線上に設けられるものではなく、シリンダ１０の円周方向に互いに１ピッチずれた状態でシリンダ１０に設けられている。
このようにピッチがずれた状態であれば、図５，図７に示すように、輪ゴム１の発射位置に合わせた位置でフック３１によって輪ゴム１の後端部を後方に引っ張ると、図６，図７に示すように、輪ゴム１の後端部は後側輪ゴム係止部１４から外れた状態となり、さらに前端部は、輪ゴム１の弾性力により後端部に追従しようとする。すなわち、輪ゴム１の後端部を後方に引っ張れば、シリンダ１０が回転可能に構成されているため、輪ゴム１の前端部も輪ゴム１の発射位置まで移動させることができる。
なお、後述するが、このようなシリンダ１０には、上記のアシスト手段Ｂ、位置決め手段Ｃ、ピッチ切り替え手段Ｄによって各種の機能が付帯される。
【００２２】
後端軸部材１１は、後部シリンダ１０Ｂの後端部から前方に向かって形成された円孔１０ａに差し込まれる円筒状の差込部１１ａと、銃本体２における後部シリンダ１０Ｂ側部に形成された円穴２ｄ内に収納されて保持されるフランジ部１１ｂおよび突部１１ｃと、を備える。
差込部１１ａには、前方に向かって開口する円穴１１ｄが形成されており、当該円穴１１ｄには、後部シリンダ１０Ｂが後方に移動した時に、後述する第二部位５６の丸軸５６ｂが差し込まれる。
フランジ部１１ｂは、シリンダ１０の前後方向の移動に伴って銃本体２の円穴２ｄ内で前後方向に摺動するとともに、円穴２ｄの縁に引っ掛かって抜けを防止している。
突部１１ｃは、銃本体２における円穴２ｄに収納される第一スプリング５２（コイルばね５２）が嵌められる部位である。
【００２３】
図２に戻り、トリガ２０は、トリガカバー２１に覆われて設けられている。トリガ２０は銃本体２のグリップ２ａに設けられ、前後方向に移動可能に構成されている。そして、このトリガ２０は、コイルばね２２の付勢力によって前方に向けて付勢されている。したがって、ユーザがトリガ２０を指で後方に引いた後に指の力を緩めるとトリガ２０がコイルばね２２の付勢力によって前方の初期位置に復帰する。なお、トリガ２０は所定の軸を中心に回動可能に構成されていてもよい。
【００２４】
続いて、スライド係止手段Ａについて説明する。
スライド係止手段Ａは、スライド３０を後方位置に係止する機能と、トリガ２０を後方に引いた際にスライド３０の係止を解除する機能を有している。
このスライド係止手段Ａは、トリガ２０の一側面に付設された突起２０ａと、グリップ２ａ内でトリガ２０の後方に配置され上下方向に往復直線動作可能な係止部材２３とを備えている（図２，図８参照）。
係止部材２３は、上下の二箇所に設けられた縦方向に長尺な長孔２３ａ，２３ａを有し、この長孔２３ａ，２３ａにはグリップ２ａ内面に設けられた柱状部材２４が入り込んでいる。そして、係止部材２３は、この柱状部材２４に案内されて上下方向に動作する。柱状部材２４は螺子用のボスであってもよい。
この係止部材２３には、下端部に側面視で楕円状の板ばね２３ｂが付設されている。この板ばね２３ｂは、下端がグリップ２ａ内の固定部２５に当接しており、係止部材２３を上方に向けて付勢している。この板ばね２３ｂの代わりに、コイルばねやその他の付勢部材を設けてもよい。
また、係止部材２３には、上記グリップ２ａの突起２０ａに対向する部分に、トリガ２０が後方に引かれた際に当該突起２０ａに摺接して当該係止部材２３を板ばね２３ｂの付勢力に抗して下方に移動させる摺接部２３ｃが形成されている。この摺接部２３ｃは、上記突起２０ａが上方から摺接する突起部として形成されていてもよいし、上記突起２０ａが入り込む溝やスリットとして形成されていてもよい。
なお、本実施形態の連発式輪ゴム銃１００では、トリガ２０側に突起２０ａを、係止部材２３側に突起２０ａに摺接する摺接部２３ｃを形成したが、係止部材２３側に突起を、トリガ２０側に当該突起に摺接する摺接部を形成してもよい。要は、トリガ２０が後方に操作された際に、係止部材２３が下降することである。
【００２５】
次に、スライド３０について説明する。
スライド３０は、銃本体２に前後方向に延在するように形成された溝２ｃに嵌合する凸部（図示せず）を備え、当該凸部が当該溝２ｃに沿って移動することで、前後方向に往復直線動作するように構成されている。スライド３０を往復直線動作させる構造は勿論これに限定されない。
スライド３０には、図２に示すように、上記フック３１と、上記係止部材２３によって係止可能な被係止部３２とが設けられている。
【００２６】
フック３１は、図２および図９に示すように、中間部がスライド３０に軸３１ａを介して回動可能に支持されている。フック３１の一端側の先端部には輪ゴム１の後端部に引っ掛けるための爪３１ｂが形成されている。このフック３１の軸３１ａにはねじれコイルばね（図示せず）が巻装されており、図２において爪３１ｂが下動する方向（反時計方向）に付勢されている。また、フック３１の他端部の側面には突起３１ｄが形成されている。
【００２７】
上記フック３１の突起３１ｄは、図９に示すように、銃本体２の内面に形成されたカム溝４０に入り込んでいる。カム溝４０は、前後方向に延在する下溝４０ａおよび上溝４０ｂから形成されている。そして、下溝４０ａと上溝４０ｂとは前端側および後端側で互いに結合されている。
カム溝４０の前端部では上溝４０ｂの上縁が膨らんでおり、スライド３０が前方位置まで移動した際にフック３１が、軸３１ａに巻装されたねじれコイルばねの付勢力によって、下動する方向（反時計方向）に回動する。これによって、フック３１、具体的には爪３１ｂが輪ゴム１の後端部に引っ掛かる。そして、この状態から、スライド３０が後方に向けて移動すると、突起３１ｄが上溝４０ｂを倣うようにしてフック３１も後方に向けて移動する。このときには、爪３１ｂは輪ゴム１の後端部に引っ掛かったままである。スライド３０が後方位置まで引かれ、スライド係止手段Ａによって係止されると、突起３１ｄはカム溝４０の後端部に至る（図９に示す状態）。このとき、カム溝４０の後端部は下溝４０ａと上溝４０ｂの中間の高さ位置となるが、爪３１ｂは輪ゴム１の後端部に引っ掛かったままである。また、このとき、フック３１が銃本体２の固定部（図示せず）に突き当たり、突起３１ｄは下溝４０ａと上溝４０ｂとの仕切り壁４０ｃの下側に僅かに潜り込む。この状態で、スライド３０の係止が解除されると、スライド３０はコイルばね３０ａの付勢力によって前方に移動する。このとき、突起３１ｄは下溝４０ａを倣うが、仕切り壁４０ｃの下面に摺接する。仕切り壁４０ｃの下面は後端側が傾斜面となっているので、その箇所で、フック３１が上動する方向（図２の時計方向）に回動する。これによって、輪ゴム１の後端部に対する爪３１ｂの引っ掛かりが解除され、輪ゴム１が発射される。
なお、スライド３０の係止が解除される形態は以下の通りである。すなわち、被係止部３２は、スライド３０とともに前後に移動するものであり、スライド３０が銃本体２の後端部に移動した際に、係止部材２３の上端部に引っ掛かって係止される。そして、トリガ２０が操作されると係止部材２３が下方に移動するため、被係止部３２が係止部材２３から離脱し、コイルばね３０ａの付勢力によってスライド３０を前方に移動させることができる。
【００２８】
次に、アシスト手段Ｂについて説明する。
このアシスト手段Ｂは、輪ゴム１の緊張時においてシリンダ１０が第一スプリング５２の付勢力に抗して後方に移動した時にシリンダ１０の一方側への回転をガイドし、かつ前側輪ゴム係止部１３を輪ゴム１の発射位置に移動させるものである。そして、シリンダ１０における後部シリンダ１０Ｂの後端部に形成された係止爪５０と、銃本体２におけるシリンダ１０後端部に対向する面に形成されて係止爪５０が係止される被係止爪５１と、後端軸部材１１と銃本体２との間に設けられてシリンダ１０を前方に付勢する第一スプリング５２（コイルばね５２）と、を備える。
係止爪５０は、後部シリンダ１０Ｂの後端部に対して、後端軸部材１１の円周方向に沿うようにして複数（６つ）設けられている。より詳細に説明すると、係止爪５０は、図２〜図６に示すように、シリンダ１０の回転方向に向かうにつれて後方に突出する鋸歯状（ギザギザ）に形成され、かつ、後方から見た場合に弧状に形成されている。
被係止爪５１は、銃本体２におけるシリンダ１０後端部に対向する面に対して、後端軸部材１１の円周方向に沿うようにして複数（左右に２つ）設けられている。より詳細に説明すると、被係止爪５１は、シリンダ１０の回転方向とは反対の方向に向かうにつれて前方に突出する鋸歯状（ギザギザ）に形成され、かつ、前方から見た場合に弧状に形成されている。
コイルばね５２は、図２に示すように、シリンダ１０の後端軸部材１１と銃本体２のフレーム２ｂとの間に設けられて、シリンダ１０を前方に付勢している。換言すれば、シリンダ１０は、コイルばね５２の付勢方向とは反対の方向に移動可能（すなわち、前後方向に移動可能）となっており、輪ゴム１の緊張時に、シリンダ１０は、コイルばね５２の付勢方向とは反対の方向に移動する。なお、コイルばね５２は、銃本体２に形成された円穴２ｄ内に収納されており、一端が後端軸部材１１の突部１１ｃに嵌められるとともにフランジ部１１ｂに接し、他端が円穴２ｄの奥壁に接している。
このようなアシスト手段Ｂによれば、輪ゴム１の緊張時においてシリンダ１０の円周方向一方側への回転をガイドし、かつ前側輪ゴム係止部１３を輪ゴム１の発射位置に移動させることができる。すなわち、輪ゴム１を引っ張ることによって緊張させ、シリンダ１０をコイルばね５２の付勢力に抗して後方に移動させつつ、輪ゴム１を動力としてシリンダ１０が回転する際に、係止爪５０の傾斜面が、被係止爪５１の傾斜面に沿って移動し、緊張した輪ゴム１が引っ掛けられた前側輪ゴム係止部１３が輪ゴム１の発射位置に移動する。この時に、係止爪５０と被係止爪５１とが完全に合致した状態で係止する。
なお、係止爪５０については複数の係止爪５０のそれぞれが連続して並んでいる必要があるが、被係止爪５１については、少なくとも一つ設けられていればよい。要は、係止爪５０が、前側輪ゴム係止部１３と後側輪ゴム係止部１４との組の数の分だけ設けられ、被係止爪５１が、係止爪５０と対称的な形状に形成されていることである。
また、本実施形態では、係止爪５０がシリンダ１０側に設けられ、被係止爪５１が銃本体２側に設けられるものとしたが、逆でもよい。すなわち、係止爪５０が銃本体２側に設けられ、被係止爪５１がシリンダ１０側に設けられてもよい。
【００２９】
次に、位置決め手段Ｃについて説明する。
この位置決め手段Ｃは、輪ゴム１の非緊張時においてシリンダ１０が第二スプリング５７の付勢力により前方に移動した時にシリンダ１０の一方側への回転を規制するものである。そして、この位置決め手段Ｃは、シリンダ１０における前部シリンダ１０Ａの前端部に形成された係止突片５３と、銃本体２におけるシリンダ１０前端部に対向する部位に形成されて係止突片５３が係止される被係止部５４と、を備える。
係止突片５３は、前部シリンダ１０Ａの前端部に対して、シリンダ１０の円周方向に沿うようにして複数（６つ）設けられている。より詳細に説明すると、係止突片５３は、図２〜図６に示すように、前方に突出する二等辺三角形状に形成され、かつ、前方から見た場合に弧状に形成されている。
被係止部５４は、銃本体２におけるシリンダ１０前端部に対向する部位に対して、シリンダ１０の円周方向に沿うようにして複数（左右に２つ）設けられている。より詳細に説明すると、被係止部５４は、後方に突出する二等辺三角形状に形成され、かつ、後方から見た場合に弧状に形成されている。
このような形状の係止突片５３および被係止部５４を備えた位置決め手段Ｃによれば、輪ゴム１の非緊張時においてシリンダ１０の円周方向一方側への回転を規制することができる。すなわち、輪ゴム１の後端部がフック３１によって後方に引っ張られていない状態の時や、輪ゴム１が発射された直後に、係止突片５３と被係止部５４とが完全に合致した状態で係止している（図２，図５参照）。逆に、輪ゴム１が緊張した時には、シリンダ１０がコイルばね５２の付勢方向とは反対の方向に移動するため、係止突片５３は被係止部５４から離間した状態となり、シリンダ１０の回転規制が解除された状態となる。また、輪ゴム１が発射されてシリンダ１０がコイルばね５２の付勢力によって元の位置に戻る際は、１つ隣の係止突片５３が被係止部５４に係止した状態となる。
なお、係止突片５３については、複数の係止突片５３それぞれが連続して並んでいる必要があるが、被係止部５４については、少なくとも一つ設けられていればよい。要は、係止突片５３が、前側輪ゴム係止部１３と後側輪ゴム係止部１４との組の数の分だけ設けられ、被係止部５４が、係止突片５３と対称的な形状に形成されていることである。
また、本実施形態では、係止突片５３がシリンダ１０側に設けられ、被係止部５４が銃本体２側に設けられるものとしたが、逆でもよい。すなわち、係止突片５３が銃本体２側に設けられ、被係止部５４がシリンダ１０側に設けられてもよい。
【００３０】
また、この位置決め手段Ｃは、輪ゴム１が発射された後のアシスト手段としても機能する。すなわち、まず、輪ゴム１が後方に引っ張られ始めた時に、係止突片５３が被係止部５４から離間し始めるとともに、シリンダ１０が回転し始める。
そして、輪ゴム１が後方に引っ張られて緊張した時（スライド３０が係止された時）には、係止突片５３の頂点が被係止部５４の頂点を越えた箇所に位置している。この時、係止突片５３と被係止部５４はまだ離間した状態である。
輪ゴム１が発射された後は、シリンダ１０の前方への移動に伴って、係止突片５３も被係止部５４に接近していく。そして、係止突片５３の傾斜面と被係止部５４の傾斜面とが接した時に、係止突片５３は、被係止部５４の傾斜面に倣って移動し、最終的に被係止部５４と互いに噛み合った状態となる。すなわち、位置決めされた状態となる。
また、係止突片５３が被係止部５４の傾斜面に倣って移動する際には、シリンダ１０自体も僅かに回転移動することになる。すなわち、輪ゴム１の発射後に、シリンダ１０の回転が、位置決め手段Ｃによってアシストされた状態となる。
【００３１】
次に、ピッチ切り替え手段Ｄについて説明する。
このピッチ切り替え手段Ｄは、シリンダ１０に備えられ、前側輪ゴム係止部を前記後側輪ゴム係止部よりも前記シリンダの回転方向の反対側に１ピッチずれた状態とするためのものであり、具体的には後部シリンダ１０Ｂに設けられている。また、後部シリンダ１０Ｂは、第一部位５５と、第二部位５６と、に分割されて構成されている。第一部位５５は、後部シリンダ１０Ｂにおける後側の部位を構成するとともに後側輪ゴム係止部１４が設けられ、かつ、前後方向に移動可能であるとともにシリンダ円周方向の一方側およびその反対側に回転可能とされている。また、第二部位５６は、後部シリンダにおける前側の部位を構成するとともに補助シリンダ１０Ｃ（補助シリンダ１０Ｃを用いない場合は前部シリンダ１０Ａ）が連結されている。
ピッチ切り替え手段Ｄは、以上のような第一部位５５および第二部位５６を含んで構成されるものであり、これら第一部位５５および第二部位５６の他に、第一部位５５を第二部位５６側に付勢する第二スプリング５７（コイルばね５７）と、第一部位５５を円周方向の一方側に回転させた時と、その反対側に回転させた時に、第二部位５６に対する第一部位５５の回転を規制して位置決めを行う凹凸嵌合部（係止爪５５ａ、被係止部５６ａ）と、を備える。
より詳細に説明すると、まず、第一部位５５は、当該第一部位５５の後部側に上記の後側輪ゴム係止部１４が設けられ、前端部から後端部にかけて円孔１０ａが貫通形成された円筒形状のものである。円孔１０ａは、その後部側が前部側よりも拡径された状態となっており、第二スプリングであるコイルばね５７が拡径された箇所に収納されている。
また、第二部位５６は、補助シリンダ１０Ｃに連結する略円錐台形状の本体部と、本体部の中央から後方に突出する丸軸５６ｂと、本体部の中央から前方に突出する角軸５６ｃと、を備える。
丸軸５６ｂは、第一部位５５の円孔１０ａに挿入され、かつ第一部位５５の後端部付近まで突出している。第一部位５５は、この丸軸５６ｂに沿って前後方向に移動可能であるとともに、丸軸５６ｂの円周方向に沿って回転可能となっている。丸軸５６ｂには、第二スプリングであるコイルばね５７が装着されている。また、丸軸５６ｂは、シリンダ１０自体もしくは後部シリンダ１０Ｂが後方に移動した時に、後端軸部材１１の差込部１１ａにおける円穴１１ｄに入り込み、シリンダ１０自体もしくは後部シリンダ１０Ｂが前方に移動した時には、円穴１１ｄから抜けるように設定されている。
角軸５６ｃは、補助シリンダ１０Ｃに形成されて後方に向かって開口する角穴１０ｂに差し込まれており、これにより、後部シリンダ１０Ｂと補助シリンダ１０Ｃ（前部シリンダ１０Ａ）が連動して回転可能となっている。
第二スプリングであるコイルばね５７は、第一部位５５の円孔１０ａにおける拡径部に収納されるとともに、第二部位５６の丸軸５６ｂに装着されている。さらに、その後端部は、後端軸部材１１の差込部１１ａに接し、これにより、付勢力を発揮できるようになっている。
【００３２】
ピッチ切り替え手段Ｄについて、より詳細に説明すると、図２に示すように、第一部位５５における第二部位５６側の端部には、第二部位５６側に突出する係止爪５５ａ（凹凸嵌合部における凸部）が形成され、第二部位５６における第一部位５５側の端部には互いに離間する複数（２つ）の被係止部５６ａ（凹凸嵌合部における凹部）が形成されている。さらに、第一部位５５は、第二スプリングであるコイルバネ５７によって第二部位５６側に付勢され、かつ、第二部位５６の丸軸５６ｂが第一部位５５の円孔１０ａに挿入されることにより、第二部位５６に対して連結した状態を維持できる。また、その連結状態を維持したまま、第二部位５６から離間させたり、第二部位５６に接触させたりすることができるように構成されている。
このような構成のピッチ切り替え手段Ｄによれば、第一部位５５を第二部位５６から離間させてから、シリンダ円周方向に回転させ、再度第二部位５６に接触させる動作を行うことによって、第一部位５５に形成された係止爪５５ａを、第二部位５６に形成された一方の被係止部５６ａから他方の被係止部５６ａへと切り替えて係止させることができる。
なお、係止爪５５ａが、一方の被係止部５６ａに係止した状態においては、シリンダ１０の前側輪ゴム係止部１３と後側輪ゴム係止部１４とが一直線上に並んだ状態となり、係止爪５５ａが、他方の被係止部５６ａに係止した状態においては、前側輪ゴム係止部１３が、後側輪ゴム係止部１４よりもシリンダ１０の回転方向の反対側に１ピッチずれた状態となる。これにより、前側輪ゴム係止部１３と後側輪ゴム係止部１４との各組に輪ゴム１を引っ掛ける際にはピッチを揃えた状態としておき、前側輪ゴム係止部１３と後側輪ゴム係止部１４との各組に輪ゴム１を引っ掛けた後に、第一部位５５を第二部位５６に対して円周方向に回転させるだけで、引っ掛けた輪ゴム１の全てを同時にひねることができる。
各組の前側輪ゴム係止部１３は、ピッチ切り替え手段Ｄによって、同組の後側輪ゴム係止部１４よりもシリンダ１０の回転方向（すなわち、一方側）の反対側に１ピッチずれた状態で、シリンダ１０に配置されるが、実際の操作としては、第一部位５５をシリンダ１０の回転方向に回転させることによって、このような状態を構成している。
【００３３】
以上の構成を踏まえ、輪ゴム１の装着方法の一例を説明する。
まず、第一部位５５の係止爪５５ａを、第二部位５６における一方の被係止部５６ａに係止させた状態とする。この場合、前側輪ゴム係止部１３と後側輪ゴム係止部１４とが一直線上に並んだ状態となっている。ここで、輪ゴム１を、各組の前側輪ゴム係止部１３と後側輪ゴム係止部１４とに引っ掛ける。
この状態で、第一部位５５を、第二部位５６に対してシリンダ円周方向に回転させ、第一部位５５の係止爪５５ａを、第二部位５６における他方の被係止部５６ａに係止させた状態とする。これにより、引っ掛けた輪ゴム１の全てを同時にひねることができ、各組の前側輪ゴム係止部１３は、各組の後側輪ゴム係止部１４よりもシリンダ１０の回転方向の反対側に１ピッチずれた状態に配置されることになる。
【００３４】
なお、図７においては、説明の便宜上、前側輪ゴム係止部１３および後側輪ゴム係止部１４に番号を付した。同じ番号が付された前側輪ゴム係止部１３および後側輪ゴム係止部１４が１つの組を構成している。
すなわち、番号「１」の前側輪ゴム係止部１３および後側輪ゴム係止部１４は、今回発射される輪ゴム１が引っ掛けられたものである。
番号「２」の前側輪ゴム係止部１３は、既に輪ゴム１が発射され、シリンダ１０の円周方向一方側に回転したものである。
番号「３」の前側輪ゴム係止部１３および後側輪ゴム係止部１４は、次回発射される輪ゴム１が引っ掛けられたものである。
図７の左図では、発射位置にある１本の輪ゴム１の後端部にフック３１が引っ掛かった状態となっている。
この状態で、スライド３０を手で後方に移動させると、中央図のように、フック３１が引っ掛かった１つの輪ゴム１の後端部が後方に引かれ当該輪ゴム１が緊張する。また、このように輪ゴム１を緊張させるのと同時に、後端部が後方に引っ張られた輪ゴム１を動力としてシリンダ１０が回転し、輪ゴム１の前端部が、１ピッチ分進んだ位置にある輪ゴム１の発射位置に移動する。
この状態で、トリガ２０を操作すると、スライド３０の係止が解除され、スライド３０が前方位置に向けて移動する。そして、緊張した輪ゴム１の後端部に対するフック３１の引っ掛かりが解除され、当該輪ゴム１が前方に向けて発射される。この時、シリンダ１０が回転し、右図のように、次に発射される輪ゴム１の後端部が輪ゴム１の発射位置に移動する。そして、スライド３０と共に前方に移動したフック３１が当該次に発射される輪ゴム１の後端部に引っ掛かる。
図７では、以上のような輪ゴム１の発射およびシリンダ１０の回転態様を模式的に表している。
【００３５】
本実施の形態によれば、前側輪ゴム係止部１３と後側輪ゴム係止部１４に引っ掛けられた輪ゴム１を後方に引っ張って緊張させることでシリンダ１０を回転させることができるので、発射される輪ゴム１自体を、シリンダ１０を回転させるための動力として利用することができる。これによって、シリンダ１０を回転させる手段として多くの部材が必要なくなるので、シンプルな構造で輪ゴム１を連続して発射できるとともに製造コストを低減できる。
【００３６】
また、アシスト手段Ｂによって、シリンダ１０の円周方向一方側への回転をガイドし、前側輪ゴム係止部１３を輪ゴム１の発射位置に移動させるので、シリンダ１０を１ピッチ分ごとに確実に回転させることができる。そのため、輪ゴム１をより正確に発射することができる。
さらに、このような輪ゴム１を動力としたシリンダ１０の回転を、シリンダ１０と銃本体２との間に設けられたアシスト手段Ｂによってアシストできるので、銃本体２の内部機構を簡素化できる。
【００３７】
また、位置決め手段Ｃによって、輪ゴム１の非緊張時におけるシリンダ１０の回転を規制できるので、輪ゴム１を後方に引っ張る際の操作や輪ゴム１を装着させる作業が行いやすくなる。すなわち、操作等を行う際におけるシリンダ１０の回転を位置決め手段Ｃによって抑えることができるので、操作に係る精度を向上させることができる。
【００３８】
また、ピッチ切り替え手段Ｄによって、前側輪ゴム係止部１３と後側輪ゴム係止部１４との各組に輪ゴム１を引っ掛ける際にはピッチを揃えた状態としておき、前側輪ゴム係止部１３と後側輪ゴム係止部１４との各組に輪ゴム１を引っ掛けた後に、第一部位５５を第二部位５６に対して円周方向に回転させるだけで、１ピッチずらして輪ゴム１をひねった状態とすることができるので、シリンダ１０に対する輪ゴム１の装着が容易となる。さらに、シリンダ１０に装着させた輪ゴム１の全てを一遍に１ピッチずらした状態にすることができるので効率が良い。
【００３９】
〔変形例〕
なお、本発明を適用可能な実施形態は、上述した実施形態に限定されることなく、本発明の趣旨を逸脱しない範囲で適宜変更可能である。以下に挙げる変形例は可能な限り組み合わせてもよい。
【００４０】
〔変形例１〕
例えば、フレーム２ｂのうち、シリンダ１０の下方から前方にかけて設けられる略Ｌ字状部位２ｂ１として、前後方向の長さがより長いものや短いものを採用してもよい。前後方向の長さが長い略Ｌ字状部位を採用する場合には、長さの長い補助シリンダを採用し、前後方向の長さが短い略Ｌ字状部位を採用する場合には、長さの短い補助シリンダを採用するか、補助シリンダ１０Ｃそのものを採用しなくてもよい。
要は、シリンダ１０を構成する前部シリンダ１０Ａと後部シリンダ１０Ｂと補助シリンダ１０Ｃは、角軸を角穴に差し込む形で連結される構造となっていることである。これにより、補助シリンダ１０Ｃの有無や長短に関わらず、シリンダ１０全体が連動して回転できるようになっている。
【００４１】
〔変形例２〕
フレーム２ｂの下側には、グリップ２ａよりも前方に位置して、ユーザが把持できる前グリップ（図示せず）を取り付けてもよい。これにより、ユーザは、グリップ２ａと前グリップの双方を把持して、連発式輪ゴム銃１００を両手持ちでき、輪ゴム１をより精度よく発射させることができる。
【００４２】
〔変形例３〕
フレーム２ｂには、例えば後端部に、輪ゴム１を複数ストックしておける部品を取り付けてもよい。これにより、輪ゴム１を別の場所に補充しに行く手間や、発射した輪ゴム１を拾う手間を軽減できる。
【００４３】
〔変形例４〕
上記実施形態では、トリガ２０の他に係止部材２３を設けてスライド３０を係止することとしたが、トリガ２０によってスライド３０を係止する構造としてもよい。
【００４４】
〔変形例５〕
上記実施形態ではシリンダ１０の外周に１本ずつ計６本の輪ゴム１を取り付けるようにしたが、１箇所に複数本ずつ輪ゴム１を取り付けてもよい。
【符号の説明】
【００４５】
１  輪ゴム
２  銃本体
１０  シリンダ
１０Ａ  前部シリンダ
１０Ｂ  後部シリンダ
１０Ｃ  補助シリンダ
１０ａ  円孔
１０ｂ  角孔
１３  前側輪ゴム係止部
１４  後側輪ゴム係止部
２０  トリガ
３０  スライド
３１  フック
５０  係止爪
５１  被係止爪
５２  第一スプリング（コイルばね）
５３  係止突片
５４  被係止部
５５  第一部位
５５ａ  係止爪
５６  第二部位
５６ａ  被係止部
５７  第二スプリング（コイルばね）
１００  連発式輪ゴム銃
Ａ  スライド係止手段
Ｂ  アシスト手段
Ｃ  位置決め手段
Ｄ  ピッチ切り替え手段
【図１】
2017133776.tif 000003
【図２】
2017133776.tif 000004
【図３】
2017133776.tif 000005
【図４】
2017133776.tif 000006
【図５】
2017133776.tif 000007
【図６】
2017133776.tif 000008
【図７】
2017133776.tif 000009
【図８】
2017133776.tif 000010
【図９】
2017133776.tif 000011